(57)【要約】【課題】センターロックとサイドロックとを有するかばん錠において、センターロックの鎖錠時にサイドロックに与えた衝撃がセンターロックまで伝わらないようにする。【解決手段】図示の例ではセンターロックとしてシリンダー錠２０を有し、サイドロック３０のプッシュレバー３１は、第一のプッシュプレート３５及び第二のプッシュプレート３６を介して、シリンダー錠２０の鎖錠及び解錠に対応して、図の左方の動きが阻止又は解放される。この発明のサイドロックのプッシュレバー３１はプッシュレバー押圧片３２及びプッシュレバー鉤部３３とがばね３４を介して組み合わされている。そのためプッシュレバー３１の動きが阻止されているとき、プッシュレバー押圧片３２に強い力を与えてもばね３４に抗してプッシュレバー鉤部３３と相対的に動くのみで、プッシュプレート３５、３６を介して衝撃がダイヤル錠の方に伝わることはない。【選択図】　　図２
2004116025.tif 000002
【特許請求の範囲】
【請求項１】
センターロックとサイドロックとを有するかばん錠のサイドロックにおいて、
プッシュレバーをプッシュレバー押圧片とプッシュレバー鉤部に分割し、この二部分を、プッシュレバー自体を支承しているばねより強いばねを介して、組み合わせてあることを特徴とするかばん錠のサイドロック。
【発明の詳細な説明】
【０００１】
【発明の属する技術分野】
この発明はセンターロックとサイドロックとを有するかばん錠のサイドロックに関する。
【０００２】
【従来の技術】
旅行かばんなどの大型のかばんにおいては、通常センターロックとサイドロックとを有し、センターロックを解錠しておいて、サイドロックのプッシュレバーを押してサイドロックを解放する。またセンターロックを鎖錠すればプッシュレバーの移動も阻止されていて、プッシュレバーを押しても動かず、かばんを開けることができないような構造になっている。
【０００３】
【解決すべき問題点】
前記の従来の構造では、センターロックを鎖錠し、サイドロックのプッシュレバーの動きを阻止していても、プッシュレバーを強い力で叩けばその衝撃がセンターロックにまで伝わって、錠をこわしてしまう恐れがあった。したがってセンターロックの鎖錠中にプッシュレバーを強い力で叩いても衝撃がセンターロックにまで伝わらないようにしなければならない。
【０００４】
【課題を解決するための手段】
この発明は前記の課題を解決するために、センターロックとサイドロックとを有するかばん錠のサイドロックにおいて、プッシュレバーをプッシュレバー押圧片と、プッシュレバー鉤部に分割し、この二部分を、プッシュレバー自体を支承しているばねより強いばねを介して、組み合わせてあることを特徴とするかばん錠のサイドロックを得たものである。
【０００５】
【実施例】
図１はセンターロックとサイドロックとを有する旅行かばんの典型的な一例の正面図であって、かばん１０はかばん本体１、蓋２、正面のハンドル３、移動用のキャスタ４、側面のハンドル５を有している。又センターロックとしてダイヤル錠２０を備えている。２１はダイヤル錠のダイヤル（図示の例では４個）、３０はサイドロック、３１はプッシュレバーをそれぞれ示している。６はセンターロックが鎖錠中か解錠中かを標示する窓である。
【０００６】
図２センターロックとしてのダイヤル錠２０と右側のサイドロック３０の機構の配置を示す上面図、図３は同じく正面からみたところを示す図である。換言すれば図２は図３をＹ方向からみた図、図３は図２をＸ方向からみた図に該当する。
【０００７】
なお今後右側のサイドロックについて説明するが、反対側のサイドロックについても、構成、作用ともに同様である。
【０００８】
サイドロック３０において、右端のプッシュレバー３１はプッシュレバー押圧片３２とプッシュレバー鉤部３３の二部分に分割され、第１のばね３４を介して図示の如く組み合わされている。プッシュレバー３１は第一プッシュプレート３５と衝接し、さらに第一プッシュプレートは連結部３８において第二プッシュプレート３６に連結されている。又第二プッシュプレート３６は底板４０に設けたばね支柱４１との間でばね３７によって、常時は右側（プッシュレバー３１側）に付勢されている。後述するダイヤル錠２０の作用によって、このプッシュプレート３５と３６は、左側への移動が阻止されたり、自由になったりする。
【０００９】
さらにプッシュレバー３１は底板４０に支点を持つ第２のばね４８によって右方向に付勢されている。そしてこの発明はプッシュレバー３１を二分割するとともに、第一のばね３４を第二のばね４８より可成り強くしたものである。かばんをあける時は、後述するようにダイヤル錠２０を解錠状態にし、プッシュプレート３５、３６の左方向への移動を自由にする。そうしておいて、プッシュレバー押圧片３２を左方向に押せば第一のばね３４を介してプッシュレバー鉤部３３を左方に押し、プッシュレバー鉤部３３のところでプッシュレバー３１に衝接している第一プッシュプレート３５ならびに第２プッシュレバー３６と一緒にプッシュレバー３１が左方に動き、プッシュレバー鉤部３３は底板４０に設けられた係合部４６から外れサイドロック３０を開くことができる。この場合第一のばね３４の方が第二のばね４８より強いのでプッシュレバー３１の二つの部分は一体として動き、弱い第二のばね４８に抗して左方に動きうることとなる。
【００１０】
センターロックであるダイヤル錠が鎖錠状態にあり、プッシュプレート３５、３６の移動が阻止されているとき、プッシュレバー押圧片３１を押してもプッシュレバー鉤部３３は左方への動きは阻止されているので、第一のばね３４に抗してプッシュレバー押圧片３１のみがプッシュレバー鉤部３３とは相対的に左方に動くこととなる。したがってダイヤル錠２０の鎖錠中プッシュレバー３１を強い力で叩いてもばね３４を介してプッシュレバー押圧片３２が左方に動くのみで、プッシュプレート３５、３６を介して衝撃がダイヤル錠にまで伝わることはない。
【００１１】
センターロックの構成とかプッシュプレートの動きを阻止したり解放したりする機構などは任意のものでよく、この発明の要旨ではないが、図２、図３に示すダイヤル錠の一例について説明する。
【００１２】
図４はダイヤル錠２０と組み合わすボルトの平面図、図５は図４をＤ方向からみた端面図、図６は図３のＡ−Ａ断面図、図７は図３のＢ−Ｂ断面図をそれぞれ示している。
【００１３】
ダイヤル錠２０はダイヤル２１（図示の例では４個）を有し、ダイヤル２１とダイヤル軸２２の間に常時はダイヤル２１と回転方向に係合しているスペーサ２３が介在している。スペーサ２３は、ダイヤルの特定の数字のところに切り欠き２４が形成されていて、暗証番号にしたがって、ダイヤル２１の数字を所定の配列にすれば、スペーサ２３の切り欠き２４が揃う。そうすれば、ばねでダイヤル側に付勢されているボルト５０の屈曲部５２の突出部がスペーサ２３の切り欠き２４と係合し、ボルト５０は回転中心部５５を中心としてダイヤル２１側へ揺動する。（図７）５１はダイヤル２１が入りこむ孔を示している。
【００１４】
図７に示すようにダイヤル錠２０が解錠状態にあるときは、ボルト５０が時計方向にダイヤル２１に向けて揺動し、Ｌ字形をしている操作部５３もダイヤル２１側にあるので、図２において、第二のプッシュプレート３６の先端はボルト５０の操作部５３とダイヤル箱２６との間を自由に通過できる。即ちプッシュプレート３５、３６もプッシュレバー３１も図２、図３において、左方に自由に動くことができる。
【００１５】
この解錠状態からダイヤル２１を廻せば、ボルト５０は、スペーサ２３の切り欠き２４から外れ、スペーサ２３の外周面に押されて図７で反時計方向に回動し、操作部５３は点線で示す位置にくる。そうすれば図２、図３、図７から判るように、ボルト５０の操作部５３の端面５４と第二のプッシュプレート３６の端面４５とが衝接し、プッシュプレート３６の左方への移動を阻止する。それにより、前述の如く、プッシュプレート３５、３６ならびにプッシュレバー鉤部３３の左方への移動が阻止され、プッシュレバー押圧片３２を押しても、ばね３４を介してプッシュレバー押圧片３２のみがプッシュレバー鉤部３３に相対的に動くにすぎない。なお図７で２５はダイヤルの数字とスペーサの切り欠きの位置との変更のためのチェンジレバーである。
【００１６】
図２、図３において、６０はダイヤル錠２０の解錠状態か、鎖錠状態かを示すシグナルであって、前記のボルト５０と連動して支軸６３を中心として回動する。６１は標示面、６２は標示部である。シグナル６０はボルト５０の動きに連動して図６に示すように、斜線を施した位置か点線で示した位置かに動き、図１に示した窓６に解錠中か、鎖錠中かを標示する。
【００１７】
なお以上の説明は図２、図３で右側のサイドロック３０について行ったが、反対側も全く同様である。
【００１８】
【発明の効果】
この発明のサイドロックは前記の如き構成であって、センターロックとサイドロックを有するかばん錠において、センターロックの鎖錠中にサイドロックに強い打撃力を加えてもその衝撃がセンターロックまで伝わって、センターロックに障害を与えることはない。
【図面の簡単な説明】
【図１】かばんの正面図
【図２】この発明の機構の配置を示す上面図
【図３】同じく正面からみたところを示す図
【図４】ボルトの平面図
【図５】図４をＤ方向からみた端面図
【図６】図３のＡ−Ａ断面図
【図７】図３のＢ−Ｂ断面図
【符号の説明】
１　　かばん本体
２　　蓋
３　　ハンドル
４　　キャスタ
５　　ハンドル
６　　窓
１０　　かばん
２０　　ダイヤル錠
２１　　ダイヤル
２２　　ダイヤル軸
２３　　スペーサ
２４　　切り欠き
２５　　チェンジレバー
２６　　ダイヤル箱
３０　　サイドロック
３１　　プッシュレバー
３２　　プッシュレバー押圧片
３３　　プッシュレバー鉤部
３４　　第一のばね
３５　　第一プッシュプレート
３６　　第二プッシュプレート
３７　　ばね
３８　　プッシュプレート連結部
３９　　カバー引っぱりばね
４０　　底板
４１　　ばね支柱
４２　　リンク
４３　　枢軸
４４　　枢軸
４５　　第二プッシュプレート端面
４６　　鉤部との係合部
４７　　サイドロックカバー
４８　　第二のばね
５０　　ボルト
５１　　ダイヤルの入る孔
５２　　屈曲部
５３　　操作部
５４　　操作部の端面
５５　　回転中心部
６０　　シグナル
６１　　標示面
６２　　標示部
６３　　シグナル軸
【図１】
2004116025.tif 000003
【図２】
2004116025.tif 000004
【図３】
2004116025.tif 000005
【図４】
2004116025.tif 000006
【図５】
2004116025.tif 000007
【図６】
2004116025.tif 000008
【図７】
2004116025.tif 000009